(57)【特許請求の範囲】
【請求項１】
楽器本体内に設けられた鍵盤部を覆う鍵盤蓋が、前記楽器本体内に回転可能に取り付けられたアーム部材によって開閉可能に支持され、前記鍵盤蓋が開閉する際に、前記アーム部材の一部を前記楽器本体の外部に突出させた状態で移動させるためのスリット状の開口部が前記楽器本体の上部から後部に亘って設けられた鍵盤楽器において、
前記楽器本体の外部に突出する前記アーム部材の前記一部が位置する箇所を除いて、前記開口部を開閉可能に塞ぐ目隠部材と、
前記楽器本体内に設けられた固定部材と、この固定部材に回転可能に取り付けられ、且つ一端部に前記目隠部材が取り付けられた連動部材とを備え、この連動部材が、前記鍵盤蓋を開いた際に前記アーム部材によって前記固定部材を中心に回転して前記目隠部材を前記開口部に向けて移動させて、前記鍵盤蓋が開いた状態のときに前記アーム部材の前記一部が位置する箇所を除く前記開口部を塞ぐ位置に前記目隠部材を移動させる連動機構部と
を備えていることを特徴とする鍵盤楽器。
【請求項２】
前記目隠部材が前記開口部から離脱する方向に向けて前記連動部材を付勢する付勢部材を備えていることを特徴とする請求項１に記載の鍵盤楽器。
【発明の詳細な説明】
【技術分野】
【０００１】
この発明は、電子ピアノや電子オルガンなどの鍵盤楽器に関する。
【背景技術】
【０００２】
従来、鍵盤楽器においては、特許文献１に記載されているように、楽器本体内に設けられた鍵盤部を覆う鍵盤蓋が、楽器本体内に回転可能に取り付けられたアーム部材によって開閉可能に支持された構成のものが知られている。
【先行技術文献】
【特許文献】
【０００３】
【特許文献１】特開平０５−３１３６５３号公報
【０００４】
このような鍵盤楽器では、鍵盤蓋が開閉する際に、この鍵盤蓋の開閉動作に伴ってアーム部材が回転するため、楽器本体にアーム部材の一部を楽器本体の外部に突出させた状態で移動させるスリット状の開口部が設けられている。これにより、アーム部材は、鍵盤蓋の開閉動作に伴って回転動作する際に、スリット状の開口部に沿って楽器本体の上部から後部に亘って移動するように構成されている。
【発明の概要】
【発明が解決しようとする課題】
【０００５】
しかしながら、このような従来の鍵盤楽器では、スリット状の開口部が楽器本体の上部から後部に亘って設けられているので、鍵盤蓋を開いた際に、アーム部材の一部が位置する箇所を除いて、スリット状の開口部が楽器本体の上側の外部に露呈し、この露呈したスリット状の開口部からごみや埃などの異物が楽器本体内に侵入し易いばかりか、露呈したスリット状の開口部によって楽器全体の外観およびデザインが損なわれるという問題がある。
【０００６】
この発明が解決しようとする課題は、楽器本体の開口部から塵埃などの異物が楽器本体内に侵入するのを防ぐと共に、外観的にもデザイン的にも好ましい鍵盤楽器を提供することである。
【課題を解決するための手段】
【０００７】
この発明は、上記課題を解決するために、次のような構成要素を備えている。
請求項１に記載の発明は、楽器本体内に設けられた鍵盤部を覆う鍵盤蓋が、前記楽器本体内に回転可能に取り付けられたアーム部材によって開閉可能に支持され、前記鍵盤蓋が開閉する際に、前記アーム部材の一部を前記楽器本体の外部に突出させた状態で移動させるためのスリット状の開口部が前記楽器本体の上部から後部に亘って設けられた鍵盤楽器において、前記楽器本体の外部に突出する前記アーム部材の前記一部が位置する箇所を除いて、前記開口部を開閉可能に塞ぐ目隠部材と、前記楽器本体内に設けられた固定部材と、この固定部材に回転可能に取り付けられ、且つ一端部に前記目隠部材が取り付けられた連動部材とを備え、この連動部材が、前記鍵盤蓋を開いた際に前記アーム部材によって前記固定部材を中心に回転して前記目隠部材を前記開口部に向けて移動させて、前記鍵盤蓋が開いた状態のときに前記アーム部材の前記一部が位置する箇所を除く前記開口部を塞ぐ位置に前記目隠部材を移動させる連動機構部とを備えていることを特徴とする鍵盤楽器である。
【０００９】
請求項２に記載の発明は、前記目隠部材が前記開口部から離脱する方向に向けて前記連動部材を付勢する付勢部材を備えていることを特徴とする請求項１に記載の鍵盤楽器である。
【発明の効果】
【００１０】
この発明によれば、鍵盤蓋を開いた際に、楽器本体の外部に突出するアーム部材の一部を除いて、楽器本体の外部に露呈するスリット状の開口部を目隠部材によって塞ぐことができるので、楽器本体の開口部から塵埃などの異物が楽器本体内に侵入するのを確実に防ぐことができると共に、外観的にもデザイン的にも好ましいものを提供することができる。
【図面の簡単な説明】
【００１１】
【図１】この発明を適用した鍵盤楽器の一実施形態を示した斜視図である。
【図２】図１に示された鍵盤楽器のＡ−Ａ矢視において鍵盤蓋を閉じた状態を示した拡大断面図である。
【図３】図２に示された鍵盤楽器において鍵盤蓋を開いて楽器本体の後部側にほぼ垂直に起立させた状態を示した拡大断面図である。
【図４】図３に示された鍵盤楽器において鍵盤蓋を更に開いて楽器本体の後方に少し傾けて起立させた状態を示した拡大断面図である。
【図５】図４に示された鍵盤楽器のＢ−Ｂ矢視において鍵盤蓋を楽器本体の後部側にほぼ垂直に起立させた際に、アーム部材の蓋取付アーム部が目隠板の側方を通過する状態における目隠板および連動機構部を示した要部の拡大断面図である。
【図６】図５に示された鍵盤楽器において鍵盤蓋を楽器本体の後方に少し傾けて起立させた際に、目隠板がスリット状の開口部を塞いだ状態における目隠板および連動機構部を示した要部の拡大断面図である。
【図７】図５に示された鍵盤楽器において目隠板および連動機構部を分解して示した要部の拡大斜視図である。
【図８】図３に示された鍵盤楽器において鍵盤蓋を開いて楽器本体の後部側にほぼ垂直に起立させた状態を示した要部の拡大斜視図である。
【図９】図４に示された鍵盤楽器において鍵盤蓋を更に開いて楽器本体の後方に少し傾けて起立させた状態を示した要部の拡大斜視図である。
【図１０】この発明の実施形態における鍵盤楽器の第１変形例において、鍵盤蓋を楽器本体の後部側にほぼ垂直に起立させた際に、アーム部材の蓋取付アーム部が目隠板の側方を通過する状態における目隠板および連動機構部を示した要部の拡大断面図である。
【図１１】図１０に示された鍵盤楽器において鍵盤蓋を楽器本体の後方に少し傾けて起立させた際に、目隠板がスリット状の開口部を塞いだ状態における目隠板および連動機構部を示した要部の拡大断面図である。
【図１２】この発明の実施形態における鍵盤楽器の第２変形例において、鍵盤蓋を楽器本体の後部側にほぼ垂直に起立させた際に、アーム部材の蓋取付アーム部が目隠板の側方を通過する状態における目隠板および連動機構部を示した要部の拡大断面図である。
【図１３】図１２に示された鍵盤楽器において鍵盤蓋を楽器本体の後方に少し傾けて起立させた際に、目隠板がスリット状の開口部を塞いだ状態における目隠板および連動機構部を示した要部の拡大断面図である。
【発明を実施するための形態】
【００１２】
以下、図１〜図９を参照して、この発明を適用した鍵盤楽器の一実施形態について説明する。
この鍵盤楽器は、図１および図２に示すように、楽器本体１を備えている。この楽器本体１は、脚部を兼ねる一対の側板２と、この一対の側板２間に設けられた棚板である底板３と、この底板３の前端部（図２では左端部）に起立して設けられた前板４と、底板３の後端部（図２では右端部）に起立して設けられた後板５と、この後板５の上端部および一対の側板２における後部（図２では右側部）の上端部に配置された天板６とを備えている。
【００１３】
これにより、楽器本体１は、図１〜図４に示すように、天板６の前側（図２では左側）に位置する上面が開放されたほぼ箱形状をなし、このほぼ箱状の部分が一対の側板２によって支持された構成になっている。この楽器本体１の内部には、鍵盤部７が天板６の前側に位置する上面から露出した状態で設けられている。この鍵盤部７は、楽器本体１の底板３上に配置された鍵盤シャーシ８と、この鍵盤シャーシ８上に並列に配列されて上下方向に回転する複数の鍵９とを備えている。複数の鍵９は、白鍵および黒鍵からなり、各後端部が鍵盤シャーシ８の後端上部に回転可能に支持されている。
【００１４】
また、この楽器本体１の上部には、図１〜図４に示すように、鍵盤部７を覆う鍵盤蓋１０が、一対のアーム部材１１によって支持された状態で、開閉可能に配置されている。鍵盤蓋１０は、図２に示すように、楽器本体１内の鍵盤部７の上側および天板６の上側を覆って楽器本体１の上部に配置される平板状に形成されている。一対のアーム部材１１は、楽器本体１内の両側部、つまり一対の側板２の各内面における後部（図２では右側部）に設けられたアーム支持軸１２によって、それぞれ上下方向に回転可能に支持されている。
【００１５】
この一対のアーム部材１１は、ステンレスなどの金属板からなり、図２〜図４に示すように、アーム支持軸１２に回転可能に取り付けられるほぼ半円形状のアーム本体１１ａと、このアーム本体１１ａから鍵盤蓋１０に向けて延出されて鍵盤蓋１０の下面に取り付けられる蓋取付アーム部１１ｂとを備えている。
【００１６】
この場合、楽器本体１の両側における後側上部（図１では右上部）には、図１および図８に示すように、鍵盤蓋１０がアーム部材１１によって支持された状態で上下方向に回転して開閉する際に、アーム部材１１の蓋取付アーム部１１ｂの一部、つまり鍵盤蓋１０の近傍に位置する箇所を、楽器本体１の外部に突出させた状態で、楽器本体１の上部および後部の間で移動させるためのスリット状の開口部１３が設けられている。
【００１７】
すなわち、このスリット状の開口部１３は、図１および図８に示すように、楽器本体１の天板６における両側の各後部から楽器本体１の後板５の両側における上下方向のほぼ中間部に亘って連続して設けられている。また、このスリット状の開口部１３は、その長手方向（図１では前後方向）と直交する横方向（図１ではほぼ左右方向）の長さ（幅）がアーム部材１１の厚みよりも少し広い長さで形成されている。
【００１８】
これにより、アーム部材１１は、図２に示すように、鍵盤蓋１０が楽器本体１の上部に配置されて閉じた状態のときに、蓋取付アーム部１１ｂの一部、つまりスリット状の開口部１３内に位置する蓋取付アーム部１１ｂの部分が、天板６に位置する箇所のスリット状の開口部１３に位置して、鍵盤蓋１０を楽器本体１の上部に支持するように構成されている。
【００１９】
また、このアーム部材１１は、図３に示すように、鍵盤蓋１０が楽器本体１の後部側（図３では右側部）にほぼ垂直に起立して開いた状態のときに、蓋取付アーム部１１ｂの一部、つまりスリット状の開口部１３内に位置する蓋取付アーム部１１ｂの部分が、後板５に位置する箇所のスリット状の開口部１３における上部に位置して、鍵盤蓋１０を楽器本体１の後部側（図３では右側）に起立させて支持するように構成されている。
【００２０】
さらに、このアーム部材１１は、図１および図４に示すように、鍵盤蓋１０が楽器本体１の後板５の後方（図４では右方）に向けて少し傾いて起立した状態、つまり鍵盤蓋１０が完全に開いた状態のときに、蓋取付アーム部１１ｂの一部、つまりスリット状の開口部１３内に位置する蓋取付アーム部１１ｂの部分が、後板５に位置する箇所のスリット状の開口部１３における下部に位置して、鍵盤蓋１０を楽器本体１の後方（図４では右側）に傾けて支持するように構成されている。
【００２１】
ところで、この楽器本体１の天板６の下面には、図５〜図７に示すように、楽器本体１の外部に突出するアーム部材１１の蓋取付アーム部１１ｂの一部が位置する箇所を除いて、楽器本体１のスリット状の開口部１３を開閉可能に塞ぐ目隠板１４が、それぞれスライド可能に設けられている。この目隠板１４は、図７に示すように、楽器本体１の天板６の下面と平行になるように折り曲げられて形成された片側下りのほぼ平板である。
【００２２】
この目隠板１４は、図７に示すように、その両端部が楽器本体１の天板６の下面に設けられた一対のガイド部１５によって、スライド可能に支持されている。すなわち、この目隠板１４は、図５〜図７に示すように、天板６の下面に沿ってアーム部材１１の回転方向と直交する方向（図５では矢印Ｘ、Ｙで示す左右方向）、つまり楽器本体１の前後方向（図５では紙面の表裏面方向）と直交する後板５の横方向（図５では左右方向）にスライドするように構成されている。
【００２３】
この場合、一対のガイド部１５は、図７に示すように、楽器本体１の天板６の下面に、鍵盤蓋１０の開閉方向と直交する方向、つまりアーム部材１１の回転方向と直交する楽器本体１の天板６の横方向（図７では矢印Ｘ、Ｙ方向）に沿って設けられている。また、この目隠板１４は、図５〜図７に示すように、連動機構部１６によって鍵盤蓋１０の開閉動作に連動するように構成されている。
【００２４】
すなわち、この連動機構部１６は、図５〜図９に示すように、鍵盤蓋１０の開閉動作に伴って目隠板１４を連動させることにより、鍵盤蓋１０が開いた状態のときに、図６および図９に示すように、スリット状の開口部１３を塞ぐ位置に目隠板１４を移動させるように構成されている。この連動機構部１６は、図５〜図７に示すように、楽器本体１の側板２の内面に固定された固定部材１７と、この固定部材１７に回転可能に取り付けられた連動部材１８とを備えている。
【００２５】
固定部材１７は、図５および図６に示すように、アーム部材１１の近傍に位置して後板５に接近した状態で、楽器本体１の側板２の内面にビス１７ｃによって取り付けられた固定部１７ａと、この固定部１７ａに設けられた回転支持軸１７ｂとを備えている。この回転支持軸１７ｂは、図７〜図９に示すように、アーム部材１１の回転中心であるアーム支持軸１２に対して直交する方向、つまり側板５の前後方向（図５では紙面の表裏面方向）に沿った状態で、固定部１７ａの上部に取り付けられている。
【００２６】
また、連動部材１８は、図６および図７に示すように、鍵盤蓋１０を開いた際に、アーム部材１１の蓋取付アーム部１１ｂによって固定部材１７の回転支持軸１７ｂを中心に回転して、目隠板１４を楽器本体１のスリット状の開口部１３に対応する下側に移動させるように構成されている。すなわち、この連動部材１８は、回転支持軸１７ｂに回転自在に支持された本体部１８ａと、この本体部１８ａからスリット状の開口部１３の下部に延出された当接部１８ｂと、本体部１８ａから天板６の下面に向けて延出された可動部１８ｃとを備えている。
【００２７】
この場合、当接部１８ｂは、図５および図６に示すように、その先端部（図５では右端部）がスリット状の開口部１３の下部に位置し、鍵盤蓋１０がほぼ垂直に起立した状態から更に回転して楽器本体１の後方に向けて少し傾いて起立する状態になる際に、アーム部材１１の蓋取付アーム部１１ｂが上方から当接して押し下げられることにより、固定部材１７の回転支持軸１７ｂを中心に連動部材１８を図５において時計回りに回転させるように構成されている。
【００２８】
また、可動部１８ｃは、その上端部に目隠板１４が取り付けられ、連動部材１８の回転に伴って目隠板１４をスライド移動させるように構成されている。すなわち、この可動部１８ｃは、図５〜図７に示すように、その上端部が目隠板１４に設けられた取付孔１４ａに上下方向に移動可能に挿入し、この状態で連動部材１８が回転すると、その回転に伴って上端部が目隠板１４の取付孔１４ａ内を上下方向に移動しながら、目隠板１４をスリット状の開口部１３に対する接離方向にスライド移動させるように構成されている。
【００２９】
ところで、この連動機構部１６は、図５〜図７に示すように、目隠板１４がスリット状の開口部１３から離脱する方向に向けて連動部材１８を付勢する付勢部材１９を備えている。この付勢部材１９は、コイルばねであり、連動機構部１６の固定部材１７と連動部材１８の当接部１８ｂとの間に配置され、この状態で当接部１８ｂを押し上げるように付勢することにより、連動部材１８の可動部１８ｃに取り付けられた目隠板１４をスリット状の開口部１３から離れる方向に向けて付勢するように構成されている。
【００３０】
この場合、連動機構部１６は、図５〜図７に示すように、連動部材１８の当接部１８ｂが付勢部材１９によって押し上げるように付勢されて、連動部材１８が回転支持軸１７ｂを中心に回転した際に、可動部１８ｃの回転位置を規制するストッパ部２０を備えている。このストッパ部２０は、図５〜図７に示すように、固定部材１７の固定部１７ａにおける前側上部（図５では左側上部）に設けられ、目隠板１４がスリット状の開口部１３から離脱した位置に移動した際に、可動部１８ｃの背面（図５では左側面）が当接するように構成されている。
【００３１】
次に、この鍵盤楽器の作用について説明する。
鍵盤蓋１０を楽器本体１の上部に配置して閉じた場合には、図２に示すように、鍵盤蓋１０を回転可能に支持するアーム部材１１の蓋取付アーム部１１ｂの一部が、天板６に位置する箇所のスリット状の開口部１３内に位置して、楽器本体１の上部に突出する。この突出したアーム部材１１の蓋取付アーム部１１ｂによって、鍵盤蓋１０が楽器本体１の上部に支持されている。
【００３２】
このため、アーム部材１１の蓋取付アーム部１１ｂが楽器本体１の後板５から前側（図２では左側）に離れて位置する。これにより、アーム部材１１の蓋取付アーム部１１ｂの一部、つまりスリット状の開口部１３内に位置するアーム部材１１の蓋取付アーム部１１ｂの部分は、図５に示すように、連動機構部１６における連結部材１８の当接部１８ｂよりも、上部側に位置すると共に、図２に示すように、楽器本体１の前側（図２では左側）に離れている。
【００３３】
また、このときには、図５に示すように、連結部材１８の当接部１８ｂが付勢部材１９によって上方に付勢されているので、連動部材１８が固定部材１７の回転支持軸１７ｂを中心に図５において反時計回りに回転し、連動部材１８の可動部１８ｃが、目隠板１４をスリット状の開口部１３から離脱させた状態で、固定部材１７のストッパ部２０に当接して位置規制されている。
【００３４】
これにより、目隠板１４は、図５および図７に示すように、連動部材１８の可動部１８ｃの回転に伴って楽器本体１の天板６の下面に設けられた一対のガイド部１５にガイドされながら、楽器本体１の天板６の下面に沿って、スリット状の開口部１３から離脱する方向、つまりアーム部材１１の回転方向と直交する天板６の横方向に向けて移動し、スリット状の開口部１３を開放している。この状態では、楽器本体１の上部に配置された鍵盤蓋１０によって、スリット状の開口部１３が塞がれているので、このスリット状の開口部１３から塵埃などの異物が楽器本体１内に侵入することはない。
【００３５】
また、この鍵盤蓋１０を回転させて楽器本体１の上部から後方に向けて開く際には、鍵盤蓋１０の前端部（図２では左端部）を持ち上げる。すると、図３に示すように、楽器本体１の一対の側板２の内面に設けられたアーム支持軸１２を中心にアーム部材１１が図３において時計回りに回転し、このアーム部材１１の回転に伴って鍵盤蓋１０が徐々に起立しながら楽器本体１の後方に向けて回転移動する。このときには、アーム部材１１の蓋取付アーム部１１ｂの一部がスリット状の開口部１３内を楽器本体１の後板５に向けて回転移動する。
【００３６】
そして、図３に示すように、鍵盤蓋１０が回転移動して楽器本体１の後部にほぼ垂直に起立すると、アーム部材１１の蓋取付アーム部１１ｂの一部がスリット状の開口部１３内を回転移動して、図５に示すように、楽器本体１の天板６に位置する開口部１３の箇所から楽器本体１の後板５の上部に位置する開口部１３の箇所に移動する。このときには、アーム部材１１の蓋取付アーム部１１ｂが、スリット状の開口部１３を開放させている目隠板１４の側方を通過する。
【００３７】
また、このときには、図５に示すように、アーム部材１１の蓋取付アーム部１１ｂが連動機構部１６の連動部材１８の当接部１８ｂに上方から接近するが、この状態では蓋取付アーム部１１ｂが連動部材１８の当接部１８ｂにまだ到達していない。この後、図４に示すように、鍵盤蓋１０が更に回転移動して楽器本体１の後方に向けて少し傾いた状態で起立し、鍵盤蓋１０が完全に開くと、アーム部材１１の蓋取付アーム部１１ｂの一部がスリット状の開口部１３内を回転移動して、図６に示すように、連動機構部１６の連動部材１８の当接部１８ｂを押し下げる。
【００３８】
すなわち、アーム部材１１の蓋取付アーム部１１ｂは、鍵盤蓋１０が楽器本体１の後方に向けて少し傾いた状態で起立する際、つまり鍵盤蓋１０が完全に開ききる直前に、楽器本体１の後板５の上部に位置するスリット状の開口部１３の上部位置から後板５の中間部に位置するスリット状の開口部１３の下部位置に移動する。
【００３９】
これにより、図６に示すように、連動機構部１６の連動部材１８の当接部１８ｂがアーム部材１１の蓋取付アーム部１１ｂによって押し下げられる。すると、連動部材１８は、付勢部材１９の付勢力に抗して固定部材１７の回転支持軸１７ｂを中心に図６において時計回りに回転する。
【００４０】
このため、この連動部材１８の回転に伴って、可動部１８ｃが時計回りに回転移動し、目隠板１４をスリット状の開口部１３に向けて移動させる。これにより、目隠板１４は、図６および図９に示すように、連動部材１８の可動部１８ｃによって天板６の下面に設けられた一対のガイド部１５に沿ってガイドされながら、スリット状の開口部１３に向けて移動して、スリット状の開口部１３を塞ぐ。
【００４１】
すなわち、鍵盤蓋１０は、楽器本体１の後部にほぼ垂直に起立した状態から、楽器本体１の後方に向けて少し傾いた状態で起立するまでの僅かな時間、つまりアーム部材１１の蓋取付アーム部１１ｂが後板５に位置するスリット状の開口部１３の上部位置から下部位置に移動して鍵盤蓋１０が完全に開ききるときに、速やかにスリット状の開口部１３を塞ぐ。
【００４２】
また、このときには、図６および図９に示すように、アーム部材１１の蓋取付アーム部１１ｂが楽器本体１の天板６に位置するスリット状の開口部１３の箇所から離れているので、目隠板１４が蓋取付アーム部１１ｂに当接することがない。このため、目隠板１４は、鍵盤蓋１０が完全に開ききるときに、円滑に移動して速やかにスリット状の開口部１３を塞ぐ。この状態では、目隠板１４によってスリット状の開口部１３から塵埃などの異物が楽器本体１内に侵入することはない。
【００４３】
また、この状態で鍵盤蓋１０を楽器本体１の上部に向けて回転させて閉じる際には、図６および図９に示すように、アーム部材１１がアーム支持軸１２を中心に回転し、鍵盤蓋１０が楽器本体１の後方に少し傾いた状態から、ほぼ垂直に起立する状態に回転移動する。このときには、図５に示すように、アーム部材１１の蓋取付アーム部１１ｂが、楽器本体１の後板５の中間部に位置するスリット状の開口部１３の下部位置から、後板５の上部に位置するスリット状の開口部１３の上部位置に移動する。
【００４４】
このため、アーム部材１１の蓋取付アーム部１１ｂは、連動部材１８の当接部１８ｂから上方に移動して離れるが、図６に示すように、当接部１８ｂが付勢部材１９の付勢力によって付勢されていることにより、連動部材１８はアーム部材１１の蓋取付アーム部１１ｂの上方への移動に伴って、固定部材１７の回転支持軸１７ｂを中心に図６において反時計回り回転する。
【００４５】
これにより、目隠板１４は、連動部材１８の可動部１８ｃによってスリット状の開口部１３から離脱する方向（図５に示す矢印Ｙ方向）に移動して、スリット状の開口部１３を速やかに開放する。このときには、鍵盤蓋１０が楽器本体１の後方に向けて少し傾いた状態で起立して完全に開いた状態から、楽器本体１の後部にほぼ垂直に起立する状態までの僅かな時間で、速やかに目隠板１４を移動させてスリット状の開口部１３を開放する。
【００４６】
すなわち、図６に示すように、アーム部材１１の蓋取付アーム部１１ｂの下端部が連動部材１８の当接部１８ｂから上方向に離れて、蓋取付アーム部１１ｂの上端部が目隠板１４の下面に到達する前までの僅かな時間で、速やかに目隠板１４をスリット状の開口部１３から離れる方向に移動させてスリット状の開口部１３を開放させる。
【００４７】
この後、鍵盤蓋１０が更に閉じる方向に回転する際には、図３および図８に示すように、アーム部材１１がアーム支持軸１２を中心に反時計回りに回転しても、スリット状の開口部１３から目隠板１４が離脱して、スリット状の開口部１３が開放されているので、アーム部材１１の蓋取付アーム部１１ｂが目隠板１４によって妨げられることなく、スリット状の開口部１３内を移動する。これにより、鍵盤蓋１０は、アーム部材１１によって支持されながら、楽器本体１上に配置されて、鍵盤部７上を覆って閉じる。
【００４８】
このように、この鍵盤楽器によれば、楽器本体１内の鍵盤部７を覆う鍵盤蓋１０が、楽器本体１に回転可能に取り付けられたアーム部材１１によって開閉可能に支持され、鍵盤蓋１０が開閉する際に、アーム部材１１の蓋取付アーム部１１ｂの一部が楽器本体１に設けられたスリット状の開口部１３から楽器本体１の外部に突出した状態で移動し、鍵盤蓋１０が開いた状態のときに、連動機構部１６が目隠板１４をスリット状の開口部１３を塞ぐ位置に移動させてスリット状の開口部１３を塞ぐので、楽器本体１のスリット状の開口部１３から塵埃などの異物が楽器本体１内に侵入するのを防ぐことができると共に、外観的にもデザイン的に好ましいものを提供することができる。
【００４９】
すなわち、この鍵盤楽器によれば、アーム部材１１によって支持された鍵盤蓋１０を回転させて開く際に、この鍵盤蓋１０の回転移動に伴って連動機構部１６が自動的に目隠板１４を移動させて、この目隠板１４によって楽器本体１に設けられたスリット状の開口部１３を塞ぐ際に、アーム部材１１の蓋取付アーム部１１ｂの一部が位置する箇所を除いて、スリット状の開口部１３を目隠板１４によって確実に且つ良好に塞ぐことができる。このため、楽器本体１のスリット状の開口部１３から塵埃などの異物が楽器本体１内に侵入するのを確実に防ぐことができると共に、外観的にもデザイン的に好ましいものを提供することができる。
【００５０】
この場合、連動機構部１６は、楽器本体１内に設けられた固定部材１７と、この固定部材１７に回転可能に取り付けられ、且つ上端部に目隠板１４が取り付けられた連動部材１８とを備え、この連動部材１８が、鍵盤蓋１０を開く際にアーム部材１１の蓋取付アーム部１１ｂによって固定部材１７の回転支持軸１７ｂを中心に回転して目隠板１４を楽器本体１のスリット状の開口部１３に移動させる構成であることにより、鍵盤蓋１０を開く際にアーム部材１１の蓋取付アーム部１１ｂによって連動部材１８を回転させることができる。これにより、目隠板１４を自動的に移動させて、アーム部材１１の蓋取付アーム部１１ｂの一部が位置する箇所を除くスリット状の開口部１３を確実に塞ぐことができるので、使い勝手が良いものを提供することができる。
【００５１】
また、この連動機構部１６は、目隠板１４がスリット状の開口部１３から離脱する方向に向けて連動部材１８を付勢する付勢部材１９を備えているので、鍵盤蓋１０を閉じる際にアーム部材１１の蓋取付アーム部１１ｂが連動部材１８から離れたときに、付勢部材１９の付勢力によって連動部材１８を自動的に回転させることができ、これにより目隠板１４をスリット状の開口部１３から離脱させてスリット状の開口部１３を開放させることができる。
【００５２】
このため、鍵盤蓋１０を閉じる際に、目隠板１４がスリット状の開口部１３から速やかに離脱するので、鍵盤蓋１０と共にアーム部材１１が回転しても、このアーム部材１１の蓋取付アーム部１１ｂが目隠板１４に当接することがなく、良好に鍵盤蓋１０を閉じる方向に回転させることができる。これによっても、使い勝手が良いものを提供することができると共に、鍵盤蓋１０を楽器本体１の上部に配置させて良好に閉じることができる。
【００５３】
なお、上述した実施形態の鍵盤楽器では、付勢部材１９であるコイルばねを連動部材１８の当接部１８ｂと固定部材１７の固定部１７ａとの間に配置して、連動部材１８が目隠板１４をスリット状の開口部１３から離脱させる方向に向けて付勢するように構成した場合について述べたが、これに限らず、例えば図１０および図１１に示す第１変形例のように、付勢部材２１を設けた構成でも良い。
【００５４】
すなわち、この付勢部材２１は、引張コイルばねであり、その一端部が連動部材１８の可動部１８ｃの背面（図１０では左側面）に取り付けられ、他端部が楽器本体１または連動機構部１６の固定部材１７に固定され、この状態で連動部材１８を目隠板１４がスリット状の開口部１３から離脱する方向に向けて付勢するように構成しても良い。このような付勢部材２１を用いても、上述した実施形態と同様の作用効果がある。
【００５５】
また、上述した実施形態の鍵盤楽器では、目隠板１４を楽器本体１の天板６の下側にスライド可能に配置した場合について述べたが、これに限らず、例えば図１２および図１３に示す第２変形例のように、目隠板２２を天板６の上面にスライド可能に配置した構成であっても良い。
【００５６】
すなわち、この連動機構部１６は、図１２および図１３に示すように、連動部材１８における可動部１８ｃの上端部に連結片２３を回転可能に取り付け、この連結片２３を目隠板２２の下面に取り付けると共に、この連結片２３を楽器本体１の天板６に形成されたスリット孔２４に挿入するように構成すれば良い。この場合、スリット孔２４は、スリット状の開口部１３と直交する方向に形成されていると共に、その長さが目隠板２２のスリット方向に沿う長さの半分以下の長さであれば良い。
【００５７】
このような鍵盤楽器によれば、上述した実施形態と同様の作用効果があるほか、目隠板２２がスライドしても、この目隠板２２によってスリット孔２４を常に塞ぐことができるので、天板６にスリット孔２４を設けても、このスリット孔２４から楽器本体１内に塵埃などの異物が侵入するのを防ぐことができると共に、外観的にもデザイン的にも好ましいものを提供することができる。
【符号の説明】
【００５８】
１  楽器本体
２  一対の側板
３  底板
４  前板
５  後板
６  天板
７  鍵盤部
１０  鍵盤蓋
１１  アーム部材
１１ａ  アーム本体
１１ｂ  蓋取付アーム部
１２  アーム支持軸
１３  スリット状の開口部
１４、２２  目隠板
１５  一対のガイド部
１６  連動機構部
１７  固定部材
１７ｂ  回転支持軸
１８  連動部材
１８ａ  本体部
１８ｂ  当接部
１８ｃ  可動部
１９、２１  付勢部材
２０  ストッパ部
【図１】
0005660290.tif 000002
【図２】
0005660290.tif 000003
【図３】
0005660290.tif 000004
【図４】
0005660290.tif 000005
【図５】
0005660290.tif 000006
【図６】
0005660290.tif 000007
【図７】
0005660290.tif 000008
【図８】
0005660290.tif 000009
【図９】
0005660290.tif 000010
【図１０】
0005660290.tif 000011
【図１１】
0005660290.tif 000012
【図１２】
0005660290.tif 000013
【図１３】
0005660290.tif 000014